【手続補正書】
【提出日】平成17年8月12日(2005.8.12)
【手続補正１】
【補正対象書類名】明細書
【補正対象項目名】発明の名称
【補正方法】変更
【補正の内容】
【発明の名称】電子装置
【手続補正２】
【補正対象書類名】明細書
【補正対象項目名】特許請求の範囲
【補正方法】変更
【補正の内容】
【特許請求の範囲】
【請求項１】
複数の電極を有する第１の半導体チップと、
複数の配線パターンを有する第１の配線基板と、
複数の電極を有する第２の半導体チップと、
複数の配線パターンを有する第２の配線基板とを有しており、
前記第１の半導体チップの複数の電極が、前記第１の配線基板の複数の配線パターンに電気的に接続しており、
前記第１の配線基板が、前記第１の半導体チップの上面、側面および底面それぞれの少なくとも一部を覆うように折り曲げられて設けられており、
前記第１の配線基板の複数の配線パターンは、前記第１の半導体チップの上面上に配置された第１の複数の電極領域と、前記第１の半導体チップの底面上に配置された第２の複数の電極領域を有しており、
前記第１の複数の電極領域、および前記第２の電極領域上には、それぞれ金属材料からなる外部端子が形成されており、
前記第２の半導体チップの複数の電極が、前記第２の配線基板の複数の配線パターンに電気的に接続しており、
前記第２の配線基板が、前記第２の半導体チップの底面の少なくとも一部を覆うように設けられており、
前記第２の配線基板の複数の配線パターンは、前記第２の半導体チップの底面上に配置された第３の複数の電極領域を有しており、
前記第１の複数の電極領域と、前記第３の複数の電極領域は、前記金属材料からなる外部端子を介して接続している、電子装置。
【請求項２】
前記第２の配線基板が、前記第２の半導体チップの上面、側面および底面それぞれの少なくとも一部を覆うように折り曲げられて設けられており、
前記第２の配線基板の複数の配線パターンは、前記第２の半導体チップの上面上に配置された第４の複数の電極領域を有していることを特徴とする、請求項１に記載の電子装置。
【請求項３】
前記第１の配線基板の端部同士の突合部が、前記第１の半導体チップの複数の電極が設けられる面とは反対側の面上に配置されていることを特徴とする、請求項１に記載の電子装置。
【請求項４】
前記第１の配線基板の複数の配線パターンは、前記第１の半導体チップの側面上に配置された第５の複数の電極領域を有していることを特徴とする、請求項１に記載の電子装置。
【請求項５】
前記第１の配線基板の複数の配線パターンの、前記第１の半導体チップの複数の電極に向かい合う部分と、前記第１の半導体チップの複数の電極とが、それぞれ導電体バンプを介して接続されており、
前記第２の配線基板の複数の配線パターンの、前記第２の半導体チップの複数の電極に向かい合う部分と、前記第２の半導体チップの複数の電極とが、それぞれ導電体バンプを介して接続されていることを特徴とする、請求項１〜４のいずれかに記載の電子装置。
【手続補正３】
【補正対象書類名】明細書
【補正対象項目名】０００１
【補正方法】変更
【補正の内容】
【０００１】
【発明の属する技術分野】
この発明は、電子装置に関し、より特定的には、三次元実装が可能な構造を有する電子装置に関する。
【手続補正４】
【補正対象書類名】明細書
【補正対象項目名】０００２
【補正方法】変更
【補正の内容】
【０００２】
【従来の技術】
図４５に示すように、従来の電子素子（半導体素子など）２００の外部端子２０４は、プリント基板２１０のような平面的（二次元的）な基板上への配置に適するように、電子素子２００の側面部において同一線上に一列に配置されていることが多い。また、外部端子の他の形態として、電子部品のプリント基板に面する側に、バンプ電極と呼ばれる略球状の電極が、同一平面上に設けられるものがある。
【手続補正５】
【補正対象書類名】明細書
【補正対象項目名】０００５
【補正方法】変更
【補正の内容】
【０００５】
したがって、この発明は、上記課題を解決するためになされたものであり、最終製品の多彩なデザインに対しても自由に電子装置の配置を可能とする、電子装置を提供することを目的とする。
【手続補正６】
【補正対象書類名】明細書
【補正対象項目名】０００６
【補正方法】変更
【補正の内容】
【０００６】
【課題を解決するための手段】
上記課題を解決するためこの発明に基づいた電子装置においては、複数の電極を有する第１の半導体チップと、複数の配線パターンを有する第１の配線基板と、複数の電極を有する第２の半導体チップと、複数の配線パターンを有する第２の配線基板とを有しており、上記第１の半導体チップの複数の電極が、上記第１の配線基板の複数の配線パターンに電気的に接続しており、上記第１の配線基板が、上記第１の半導体チップの上面、側面および底面それぞれの少なくとも一部を覆うように折り曲げられて設けられており、上記第１の配線基板の複数の配線パターンは、上記第１の半導体チップの上面上に配置された第１の複数の電極領域と、上記第１の半導体チップの底面上に配置された第２の複数の電極領域を有しており、上記第１の複数の電極領域、および上記第２の電極領域上には、それぞれ金属材料からなる外部端子が形成されており、上記第２の半導体チップの複数の電極が、上記第２の配線基板の複数の配線パターンに電気的に接続しており、上記第２の配線基板が、上記第２の半導体チップの底面の少なくとも一部を覆うように設けられており、上記第２の配線基板の複数の配線パターンは、上記第２の半導体チップの底面上に配置された第３の複数の電極領域を有しており、上記第１の複数の電極領域と、上記第３の複数の電極領域は、上記金属材料からなる外部端子を介して接続している。
【手続補正７】
【補正対象書類名】明細書
【補正対象項目名】０００９
【補正方法】変更
【補正の内容】
【０００９】
たとえば、上記電子装置において好ましくは、上記第２の配線基板が、上記第２の半導体チップの上面、側面および底面それぞれの少なくとも一部を覆うように折り曲げられて設けられており、上記第２の配線基板の複数の配線パターンは、上記第２の半導体チップの上面上に配置された第４の複数の電極領域を有していることを特徴とする。
【手続補正８】
【補正対象書類名】明細書
【補正対象項目名】００１０
【補正方法】変更
【補正の内容】
【００１０】
また、上記電子装置において好ましくは、上記第１の配線基板の端部同士の突合部が、上記第１の半導体チップの複数の電極が設けられる面とは反対側の面上に配置されていることを特徴とする。
【手続補正９】
【補正対象書類名】明細書
【補正対象項目名】００１１
【補正方法】変更
【補正の内容】
【００１１】
また、上記電子装置において好ましくは、上記第１の配線基板の複数の配線パターンは、上記第１の半導体チップの側面上に配置された第５の複数の電極領域を有していることを特徴とする。
【手続補正１０】
【補正対象書類名】明細書
【補正対象項目名】００１２
【補正方法】変更
【補正の内容】
【００１２】
また、上記電子装置において好ましくは、上記第１の配線基板の複数の配線パターンの、上記第１の半導体チップの複数の電極に向かい合う部分と、上記第１の半導体チップの複数の電極とが、それぞれ導電体バンプを介して接続されており、上記第２の配線基板の複数の配線パターンの、上記第２の半導体チップの複数の電極に向かい合う部分と、上記第２の半導体チップの複数の電極とが、それぞれ導電体バンプを介して接続されていることを特徴とする。
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００５３
【補正方法】変更
【補正の内容】
【００５３】
（実施の形態１１）
本実施の形態における電子装置２０３の構造について、図２９および図３０を参照して説明する。なお、図２９は、電子装置２０３の内部構造を示す斜視図であり、図３０は、電子装置２０３の外部構造を示す全体斜視図である。この電子装置２０３は、複数の外部電極３１と、複数の内部電極３２を所定位置に備える筒状基板３０の内部に、半導体素子１７１を複数配置し、半導体素子１７１の設けられた外部端子８同士を選択的に接続させて電子装置２０３を構成するようにしたものである。本実施の形態においては、半導体素子１７１を螺旋状に複数配置する場合を図示しているが、螺旋状に限定されず、任意の積層構造からなる三次元構造を適用することが可能である。図３０に示すように、筒状基板３０の内部は、樹脂３３を充填することにより、樹脂封止されている。以上、本構成においても、上記実施の形態９の場合と同様の作用効果を得ることが可能になる。
【手続補正１７】
【補正対象書類名】図面
【補正対象項目名】図３０
【補正方法】変更
【補正の内容】
【図３０】
2004103843.tif 000001
【手続補正１８】
【補正対象書類名】図面
【補正対象項目名】図４５
【補正方法】変更
【補正の内容】
【図４５】
2004103843.tif 000002